【事件の表示】
　平成１１年特許願第２４６４０２号「エディタ装置およびエディタプログラムを記録した記録媒体」拒絶査定に対する審判事件［平成１３年　３月２３日出願公開、特開２００１−　７５６１４］について、次のとおり審決する。
【結　論】
　本件審判の請求は、成り立たない。
【理　由】
１．手続の経緯・本願発明
　本願は、平成１１年　８月３１日の出願であって、その発明は請求項１乃至１０に記載されたものであるところ、請求項１に係る発明（以下、本願発明という。）は、請求項１に記載された事項により特定される次のとおりのものである。
「制御対象機器の状態を表示する表示内容を定めるための表示内容プログラムを作成する第１エディタ手段と、上記制御対象機器を制御する制御手順を定めるための制御手順プログラムを作成する第２エディタ手段と、上記表示内容プログラムを格納する表示内容プログラムファイルと上記制御手順プログラムを格納する制御手順プログラムファイルとの間で上記両プログラムに共通するデータを複写するデータ複写手段とを備えるエディタ装置であって、上記データ複写手段が、上記データを一括して複写することを特徴とするエディタ装置。」
　
２．引用例
　これに対して、原査定の拒絶の理由に引用された特開平１１−１７５３２６号公報（以下、引用例という。）には、図面とともに、
「制御対象の状態を画面に表示するための表示機能部と、制御対象の動作を制御するための制御機能部とを有する表示／制御システムを対象として、表示機能を実現すべき表示用プログラムと、制御機能を実現すべき制御用プログラムとを作成するためのエディタ装置であって、エディタ画面上での入力操作に応じて前記表示用プログラムを作成するための第１エディタ手段と、エディタ画面上での入力操作に応じて前記制御用プログラムを作成するための第２エディタ手段と、一方のエディタ画面上で入力したデータを他方のエディタ画面上で作成されるべきプログラムに複写するためのデータ複写手段とを具え、データ複写手段は、表示用プログラムと制御用プログラムの間で共通のデータについては、一方のエディタ画面上で入力したデータに関して該エディタ画面上に表示されている画像ブロックを選択し、他方のエディタ画面上へ移動させる操作に応じて、前記データの複写を実行することを特徴とするエディタ装置。」（２頁左欄２−１８行）、
「最初にユーザプログラムを作成する場合(ユーザプログラムの作成(1))、具体的には図５に示す手続きが実行される。・・・・・・先ずステップＳ３１では、ラダーウインドウ上にて、制御対象を構成する各デバイスを対象としてラダー命令を記述する。次にステップＳ３２にて、当該命令で使用する名称、アドレス等の属性データを画面入力する。そして、ステップＳ３３では、入力されたデータを図８に示す共通データベース(６)に登録する。・・・・・・その後、ユーザプログラムの作成を終了するときは、ステップＳ３５に移行して、作成されたユーザプログラムを、従来と同様、図２０(ａ)に示すラダーファイル(７)に登録する。次にユーザ画面の作成(作画処理(2))においては、図７に示す手続きが実行される。・・・・・・ステップＳ５６にて、選択されたマークを作画ウインドウ上に表示する。続いて、ステップＳ５７にて必要な属性データを取り込んだ後、・・・・・・その後、ユーザ画面の作成を終了するときは、ステップＳ５９に移行して、作成されたユーザ画面を、従来と同様、図２０(ｂ)に示す画面ファイル(８)に登録する。」（７頁左欄５行−同右欄３行）、
「図９及び図１０は、ユーザプログラムを作成した後にユーザ画面を作成する場合の具体例を表わしている。　図９の工程(1)に示す様に、ラダーウインドウ(42)上にはラダーエディタを用いて既にスイッチ(入力)のラダー記号Ｌとランプ(出力)についてのラダー記号Ｌ′とが描画されており、これに伴って、共通データベース(６)には、スイッチについては、機能として“スイッチ”、名称として“ＳＷ１”、アドレスとして“ＸＢ０００１”、特性として“ＯＮ”が登録されると共に、ランプについては、機能として“ランプ”、名称として“ＬＡＭＰ１”、アドレスとして“ＹＢ０００１”、特性として“ＯＮ”が登録されている。
　この状態で、工程(2)に示す様に作画ウインドウ(43)を開き、工程(3)では、ラダーウインドウ(42)のスイッチのラダー記号Ｌをドラッグする。これによって、当該ラダー記号に付随している属性データ(“スイッチ”、“ＳＷ１”、“ＸＢ０００１”及び“ＯＮ”)が一旦、クリップボード(44)に複写される。　そして、図１０の工程(4)に示す様に、ドラッグしたマークを作画ウインドウ(43)上にドロップすることにより、クリップボード(44)上の属性データがユーザ画面に複写されることになる。・・・・・・ここでＯＫ釦をクリックすると、作画ウインドウ(43))上のマークと属性データが確定し、画面ファイル(８)の図形データファイル部(81)及び属性データファイル部(82)に、スイッチのマークについての図形データや属性データが格納されることになる。　従って、ユーザは、作画ウインドウ(43)上でスイッチのマークを描画する作業や必要な属性データを入力する作業を行なう必要がなく、極めて容易にユーザ画面を作成することが出来る。」（７頁右欄４−４０行）
と記載されていることが認められ、これらの記載によれば引用例１には、
「制御対象機器の状態を表示する表示内容を定めるための表示用プログラムを作成する第１エディタ手段と、上記制御対象機器を制御する制御手順を定めるための制御用プログラムを作成する第２エディタ手段と、一方のエディタ画面上で入力したデータを他方のエディタ画面上で作成されるべきプログラムに複写するためのデータ複写手段とを備えるエディタ装置。」
との発明（以下、引用発明という。）が開示されていると認めることができる。
　
３．対比・判断
　本願発明と引用発明とを対比すると、引用発明における「表示用プログラム」、「制御用プログラム」は、それぞれ、本願発明における「表示内容プログラム」、「制御手順プログラム」に相当するものであるから、両者は、
「制御対象機器の状態を表示する表示内容を定めるための表示内容プログラムを作成する第１エディタ手段と、上記制御対象機器を制御する制御手順を定めるための制御手順プログラムを作成する第２エディタ手段と、データ複写手段とを備えるエディタ装置。」
の点で一致し、本願発明のデータ複写手段が、表示内容プログラムを格納する表示内容プログラムファイルと制御手順プログラムを格納する制御手順プログラムファイルとの間で上記両プログラムに共通するデータを一括して複写するものであるのに対し、引用発明のデータ複写手段が、一方のエディタ画面上で入力したデータを他方のエディタ画面上で作成されるべきプログラムに複写するものである点で相違する。
　そこで、前記相違点について検討する。
　引用例には、一方のエディタ画面上で入力したデータを他方のエディタ画面上で作成されるべきプログラムに複写するためのデータ複写手段の実施例として、共通データベース（６）を利用するものが示されているが、引用例には、「尚、本発明の各部構成は上記実施の形態に限らず、特許請求の範囲に記載の技術的範囲内で種々の変形が可能である。例えば、図４及び図５の手続きでは共通データベース(６)を作成して、共通データベース(６)に登録されている属性データを図６及び図７に示すデータの複写に利用しているが、共通データベース(６)を作成せずに、直接にラダーファイル(７)或いは画面ファイル(８)からデータを複写する手続きも採用可能である。」（８頁右欄１１−１９行）との記載も認められ、該引用例の「ラダーファイル」、「画面ファイル」が、本願発明の「制御手順プログラムファイル」、「表示内容プログラムファイル」にそれぞれ相当するといえるから、そうすると、引用発明のデータ複写手段を、表示内容プログラムファイルと制御手順プログラムファイルとの間で両プログラムに共通するデータを複写する手段として構成することは、当業者が容易に想到しえたことというべきである。そして、データの複写にあたって、データを一括して複写することは一般に周知の技術にすぎない。
　したがって、上記相異点に係る本願発明の構成は、引用例及び周知技術に基づいて、当業者が容易に想到しえたものである。
　
　そして、本願発明が奏する作用効果も、引用例及び周知技術から当業者が予測できる範囲のものである。
　
４．むすび
　以上のとおり、本願発明は、引用発明及び周知技術に基づいて当業者が容易に発明をすることができたものであるから、特許法第２９条第２項の規定により特許を受けることができない。
　よって、結論のとおり審決する。